(57)【要約】【課題】回動軸部材にレバーハンドルを固定する際の固定の強度を向上させることができる便器洗浄装置を提供すること。【解決手段】便器洗浄装置１は、洗浄水を貯留するタンク２と、タンク２の排水口２１を開閉する開閉弁７と、開閉弁７を操作する洗浄操作機構部８と、を備え、洗浄操作機構部８は、軸方向の一端部に第１係合部８２２及び第２係合部８２１を有する回動軸部材８２と、回動軸部材８２が挿通される筒状に形成され回動軸部材８２が挿通された状態で回動軸部材の第１係合部８２２が係合するガイド部材８３と、回動軸部材８２を回動させるレバーハンドル８７であって、ガイド部材８３を収容すると共に内部側において回動軸部材８２の第２係合部８２１に係合するレバーハンドル８７と、レバーハンドル８７をガイド部材８３に固定する固定部８８と、を有する。【選択図】図６
2019190203.tif 000002
【特許請求の範囲】
【請求項１】
洗浄水を貯留するタンクと、
前記タンクの排水口を開閉する開閉弁と、
前記開閉弁を操作する洗浄操作機構部と、を備える便器洗浄装置であって、
前記洗浄操作機構部は、
軸方向の一端部に第１係合部及び第２係合部を有する回動軸部材と、
回動軸部材が挿通される筒状に形成され前記回動軸部材が挿通された状態で前記回動軸部材の前記第１係合部が係合するガイド部材と、
前記回動軸部材を回動させるレバーハンドルであって、前記ガイド部材を収容すると共に内部側において前記回動軸部材の前記第２係合部に係合するレバーハンドルと、
前記レバーハンドルを前記ガイド部材に固定する固定部と、を備える便器洗浄装置。
【請求項２】
前記ガイド部材は、前記回動軸部材の軸方向において、前記レバーハンドル側に配置される第１ガイド部と、前記レバーハンドルと反対側に前記第１ガイド部に並んで配置される第２ガイド部と、を有し、
前記第１ガイド部は、前記レバーハンドルと一体で回動するように構成され、
前記第２ガイド部は、前記レバーハンドルと一体で回動しないように構成され、
前記第１ガイド部と前記第２ガイド部との間に配置され、前記レバーハンドルを所定の回動位置に戻すように付勢するバネ部材を備える請求項１に記載の便器洗浄装置。
【請求項３】
前記固定部は、前記レバーハンドルを前記ガイド部材に着脱可能に固定するクリップ部材である請求項１又は２に記載の便器洗浄装置。
【請求項４】
前記ガイド部材は、前記回動軸部材の軸方向において、前記レバーハンドル側に配置される第１ガイド部と、前記レバーハンドルと反対側に前記第１ガイド部に並んで配置される第２ガイド部と、を有し、
前記レバーハンドルの内部には、前記第１ガイド部の全部を収納可能である請求項１〜３のいずれかに記載の便器洗浄装置。
【発明の詳細な説明】
【技術分野】
【０００１】
本発明は、便器洗浄装置に関する。
【背景技術】
【０００２】
従来、洗浄水を貯留する洗浄タンクと、洗浄タンクの排水口を開閉する開閉弁と、開閉弁を操作する洗浄操作機構部と、を備える便器洗浄装置が知られている（例えば、特許文献１参照）。特許文献１に記載の洗浄操作機構部は、回動軸部材と、ガイド部材と、レバーハンドルと、を備える。洗浄操作機構部は、回動軸部材をガイド部材に挿通した状態で、回動軸部材をガイド部材にネジ止めして、回動軸部材を取り付けたガイド部材をレバーハンドルの筒状部に挿入してガイド部材の爪をレバーハンドルに係合させることで、回動軸部材にレバーハンドルを固定するように構成されている。
【先行技術文献】
【特許文献】
【０００３】
【特許文献１】特許第３８８６１４１号公報
【発明の概要】
【発明が解決しようとする課題】
【０００４】
特許文献１に記載のガイド部材の係合爪は、樹脂製であり固定の強度が弱いため、レバーハンドルの操作により係合が外れる可能性がある。そのため、回動軸部材にレバーハンドルを固定する際の固定の強度を向上させることが求められている。
【０００５】
本発明は、回動軸部材にレバーハンドルを固定する際の固定の強度を向上させることができる便器洗浄装置を提供することを目的とする。
【課題を解決するための手段】
【０００６】
本発明は、洗浄水を貯留するタンク（例えば、後述の便器洗浄タンク２）と、前記タンクの排水口（例えば、後述の排水口２１）を開閉する開閉弁（例えば、後述の排水弁７）と、前記開閉弁を操作する洗浄操作機構部（例えば、後述の手動洗浄操作機構部８）と、を備える便器洗浄装置（例えば、後述の便器洗浄装置１）であって、前記洗浄操作機構部は、軸方向の一端部に第１係合部（例えば、後述の係合爪８２２）及び第２係合部（例えば、後述のスリット８２１）を有する回動軸部材（例えば、後述のスピンドル８２）と、回動軸部材が挿通される筒状に形成され前記回動軸部材が挿通された状態で前記回動軸部材の前記第１係合部が係合するガイド部材（例えば、後述のガイド部材８３）と、前記回動軸部材を回動させるレバーハンドルであって、前記ガイド部材を収容すると共に内部側において前記回動軸部材の前記第２係合部に係合するレバーハンドル（例えば、後述のレバーハンドル８７）と、前記レバーハンドルを前記ガイド部材に固定する固定部（例えば、後述のクリップ部材８８）と、を備える便器洗浄装置に関する。
【０００７】
また、前記ガイド部材は、前記回動軸部材の軸方向において、前記レバーハンドル側に配置される第１ガイド部（例えば、後述の第１ガイド部８４）と、前記レバーハンドルと反対側に前記第１ガイド部に並んで配置される第２ガイド部（例えば、後述の第２ガイド部８５）と、を有し、前記第１ガイド部は、前記レバーハンドルと一体で回動するように構成され、前記第２ガイド部は、前記レバーハンドルと一体で回動しないように構成され、前記第１ガイド部と前記第２ガイド部との間に配置され、前記レバーハンドルを所定の回動位置に戻すように付勢するバネ部材（例えば、後述のバネ部材８６）を備えることが好ましい。
【０００８】
また、前記固定部は、前記レバーハンドルを前記ガイド部材に着脱可能に固定するクリップ部材であることが好ましい。
【０００９】
また、前記ガイド部材は、前記回動軸部材の軸方向において、前記レバーハンドル側に配置される第１ガイド部と、前記レバーハンドルと反対側に前記第１ガイド部に並んで配置される第２ガイド部と、を有し、前記レバーハンドルの内部には、前記第１ガイド部の全部を収納可能であることが好ましい。
【発明の効果】
【００１０】
本発明によれば、回動軸部材にレバーハンドルを固定する際の固定の強度を向上させることができる便器洗浄装置を提供することができる。
【図面の簡単な説明】
【００１１】
【図１】本実施形態の便器装置の斜視図である。
【図２】本実施形態の便器洗浄装置の部分平面図である。
【図３】本実施形態の便器洗浄装置の縦断面図である。
【図４】手動洗浄操作機構部を正面側から視た斜視図である。
【図５】手動洗浄操作機構部を背面側から視た斜視図である。
【図６】手動洗浄操作機構部の縦断面図である。
【図７】手動洗浄操作機構部からレバーハンドルを外した状態を示す斜視図である。
【図８】手動洗浄操作機構部を正面側から視た分解斜視図である。
【図９】手動洗浄操作機構部を背面側から視た分解斜視図である。
【図１０】手動洗浄操作機構部において、バネ部材の配置の状態を説明する斜視図である。
【発明を実施するための形態】
【００１２】
以下、本発明の実施形態について図面を参照して詳細に説明する。
図１は、便器装置１００の斜視図である。便器装置１００は、図１に示すように、便器１０２が床面ｆ１に設置される床置きタイプである。なお、以下の説明において、便器１０２の便座（図示せず）に着座した使用者から見た場合の前後の向きを前後方向とする。また、便器１０２の便座（図示せず）に着座した使用者から見た場合の左右の向きを幅方向とする。更に、床面ｆ１に対する鉛直方向に沿う上下の向きを上下方向とする。
【００１３】
便器装置１００は、図１に示すように、便器１０２と、便座（図示せず）と、便蓋１０３と、タンクカバー１０４と、便器洗浄装置１と、を備えている。
便器１０２は、立壁面ｆ２に近接した床面ｆ１上に設置されている。便器１０２の上部には、便座（図示せず）及び便蓋１０３が回動可能に取り付けられている。
タンクカバー１０４は、便器１０２の後方側の上面に取り付けられ、後述する便器洗浄装置１の外側を覆う。
【００１４】
本実施形態に示すタンクカバー１０４は、便器洗浄タンク２の前面側を覆う前カバー１０４ａと、便器洗浄タンク２の側面側及び後面側を覆う後カバー１０４ｂと、便器洗浄タンク２の上面側を覆う上カバー１０４ｃと、を有し、これら各カバー１０４ａ〜１０４ｃが組み合わされることにより、略直方形となる便器洗浄タンク２の収容空間を構成している。
【００１５】
なお、タンクカバー１０４の下方は、前面プレート１０５ａと側面プレート１０５ｂとからなる下部プレート１０５によって覆われている。これにより、便器１０２の後方側に配置される給排水管（図示せず）等が目隠しされると共に、便器１０２の後方側が、タンクカバー１０４と一体に上下方向に延びる薄型の略直方形の箱体状となる。
【００１６】
図２は、便器洗浄装置１の部分平面図である。図３は、便器洗浄装置１の縦断面図である。
図２及び図３に示すように、便器洗浄装置１は、便器洗浄タンク２（タンク）と、ボールタップ給水栓３と、フロート４と、吐水管５と、オーバーフロー管６、と、を備える。
また、便器洗浄装置１は、便器洗浄タンク２の下部に形成される排水口２１に設けられた排水弁７（開閉弁）と、排水弁７から上方へ延びる第１玉鎖７１及び第２玉鎖７２とを有する。
また、便器洗浄装置１は、排水弁７を操作して便器１０２に洗浄水を供給する手動洗浄操作機構部８（洗浄操作機構部）を有する。
【００１７】
便器洗浄タンク２は、タンク本体２ａと、タンク蓋部２ｂと、を有する。タンク本体２ａは、上部が開口し、洗浄水を貯留可能な略直方体の容器である。便器洗浄タンク２は、上部において外部の給水管（図示せず）に接続される。また、便器洗浄タンク２は、下部における幅方向の中央に排水口２１が形成され、排水口２１は便器洗浄タンク２の下方に配置される便器１０２に連通している。
【００１８】
排水弁７は、排水口２１を開閉可能に覆っている略円形の蓋体により構成されている。
第１玉鎖７１及び第２玉鎖７２は、排水弁７に接続され、第１玉鎖７１又は第２玉鎖７２が上方に引き上げられると、排水弁７が開き、排水口２１から便器洗浄タンク２に貯留された洗浄水を流すように構成されている。
【００１９】
手動洗浄操作機構部８は、引き上げアーム部材８１と、スピンドル８２（回動軸部材）と、レバーハンドル８７と、を有する。スピンドル８２の一端部には、タンクカバー１０４の一方側の側面プレート１０５ｂの側方において、レバーハンドル８７が取り付けられ、他端部には、引き上げアーム部材８１が取り付けられる。本実施形態の便器洗浄装置１は、レバーハンドル８７を手動で操作して洗浄を行う手動式の便器洗浄装置である。
【００２０】
引き上げアーム部材８１は、第１玉鎖７１及び第２玉鎖７２の上端から便器洗浄タンク２の上部で略水平方向に延びている。引き上げアーム部材８１は、スピンドル８２の回動に伴って回動可能に構成される。引き上げアーム部材８１は、第１玉鎖７１及び第２玉鎖７２と接続されている。本実施形態においては、第１玉鎖７１は、大洗浄用の玉鎖である。第１玉鎖７１は、スピンドル８２と排水弁７とを接続する。第１玉鎖７１の一端は、引き上げアーム部材８１に取り付けられている。第１玉鎖７１の他端は、排水弁７に接続される。第２玉鎖７２は、小洗浄用の玉鎖である。第２玉鎖７２は、引き上げアーム部材８１と排水弁７とを接続する。第２玉鎖７２の一端は、引き上げアーム部材８１に接続される。第２玉鎖７２の他端は、排水弁７に接続される。
【００２１】
レバーハンドル８７は、便器洗浄タンク２を覆うタンクカバー１０４の後カバー１０４ｂの一方側の側面の外部に配置され、引き上げアーム部材８１と連動して回動可能に取り付けられている。使用者がレバーハンドル８７を操作して回すことで、引き上げアーム部材８１が回動する。引き上げアーム部材８１の回動に伴って第１玉鎖７１又は第２玉鎖７２が上方に引っ張られ、排水弁７が開くように構成されている。
なお、手動洗浄操作機構部８の詳細については後述する。
【００２２】
オーバーフロー管６は、上部に開口部６ａを有し、上下方向に延びる略円筒状の管である。オーバーフロー管６は、下端側が、排水口２１に連通している。オーバーフロー管６は、便器洗浄タンク２に貯留された洗浄水の水位が所定位置を上回って溢れた際に、洗浄水が開口部６ａから流入して排水の際に便器へ流出するようになっている。
【００２３】
フロート４は、便器洗浄タンク２内の洗浄水の水位に伴って上下に移動する。フロート４は、フロート本体４１と、フロートアーム４２と、アーム軸４３と、を有する。
フロート本体４１は、水に浮く浮きであり、略円筒状のプラスチック素材で形成される。
アーム軸４３は、フロート本体４１から上下に移動可能に配置される。アーム軸４３の下端はフロート本体４１に接続される。
フロートアーム４２は、下端がアーム軸４３に接続され、フロート本体４１の上下移動に伴って縮んだり伸びたりするように屈曲している。フロートアーム４２は、フロート本体４１の上下移動に伴って、ボールタップ給水栓３の弁を開閉する。
【００２４】
吐水管５は、上下方向に延び、ボールタップ給水栓３から供給された洗浄水を便器洗浄タンク２へ供給する管である。吐水管５は、下端が開放され、便器洗浄タンク２内に貯留された水に浸漬されている。吐水管５は、上端側においてボールタップ給水栓３の側面に接続され、補給水供給口５１を有する。
【００２５】
ボールタップ給水栓３は、便器洗浄タンク２の内部に配置され、便器洗浄タンク２に貯留された洗浄水の水位に応じて、給水管（図示せず）から洗浄水を便器洗浄タンク２に供給する。ボールタップ給水栓３は、便器洗浄タンク２の幅方向に沿って延びる略円筒形の形状を有し、一方が給水管（図示せず）に接続され、他方がフロート４に接続される。また、ボールタップ給水栓３は、フロート４近傍の側部が分岐して吐水管５に接続され、給水管（図示せず）から供給された洗浄水を、吐水管５を介して便器洗浄タンク２に供給する。
【００２６】
手動洗浄操作機構部８の詳細について説明する。図４は、手動洗浄操作機構部８を正面側から視た斜視図である。図５は、手動洗浄操作機構部８を背面側から視た斜視図である。図６は、手動洗浄操作機構部８の縦断面図である。図７は、手動洗浄操作機構部８からレバーハンドル８７を外した状態を示す斜視図である。図８は、手動洗浄操作機構部８を正面側から視た分解斜視図である。図９は、手動洗浄操作機構部８を背面側から視た分解斜視図である。図１０は、手動洗浄操作機構部８において、バネ部材８６の配置の状態を説明する斜視図である。なお、本実施形態においては、手動洗浄操作機構部８の説明について、主に、レバーハンドル８７が操作されないで待機される待機位置に位置する場合について説明する。
【００２７】
図４〜図６に示すように、手動洗浄操作機構部８は、引き上げアーム部材８１と、スピンドル８２（回動軸部材）と、ガイド部材８３と、バネ部材８６と、スピンドル８２を回動させるレバーハンドル８７と、クリップ部材８８（固定部）と、を備える。
【００２８】
スピンドル８２は、図３に示すように、便器洗浄タンク２の上方の幅方向（左右方向）の一方側において幅方向（左右方向）に延びる。図６〜図９に示すように、スピンドル８２の一端部には、レバーハンドル８７が取り付けられ、他端部側には、Ｕ字状の固定部材８１１により、引き上げアーム部材８１が固定される。スピンドル８２の一端部には、スリット８２１（第２係合部）と、スリット８２１を径方向に挟んで構成される一対の係合爪８２２（第１係合部）と、が形成される。
【００２９】
スリット８２１は、スピンドル８２の軸方向に直交する方向に直線状に延びると共にスピンドル８２の軸方向の一端から他端側に窪む凹溝状に形成され、レバーハンドル８７側に開放する。スリット８２１は、スピンドル８２の一端から他端に向けて軸方向に延びる。スリット８２１には、レバーハンドル８７の突起８７３（後述）が挿入される。
【００３０】
一対の係合爪８２２は、図６に示すように、スリット８２１を挟んでスピンドル８２の径方向に離間して配置される。一対の係合爪８２２は、スリット８２１の径方向に配置され、スリット８２１側に弾性変形可能である。一対の係合爪８２２は、それぞれ、スピンドル８２の軸方向の一方側に延びる延出部８２２ａと、延出部８２２ａからスピンドル８２の径方向の外側に突出する爪部８２２ｂと、を有する。一対の係合爪８２２は、スリット８２１側に弾性変形することにより、第１ガイド部８４の端面８４３ｂ（後述）に係脱可能に係合される。
【００３１】
レバーハンドル８７は、スピンドル８２の一端部に配置される。レバーハンドル８７は、筒状部８７１と、取手部８７２と、を有する。筒状部８７１は、ガイド部材８３（後述）を収容し、筒状部８７１の内部には、ガイド部材８３の第２ガイド部８５の全部を収納可能である。これにより、レバーハンドル８７が取り付けられた状態では、第２ガイド部８５は、外部から視認されない。
【００３２】
筒状部８７１は、図６及び図７に示すように、筒状部周壁８７１ａと、筒状部規制壁８７１ｂと、貫通穴８７４と、筒状部側面板８７１ｃと、を有する。筒状部周壁８７１ａ及び筒状部規制壁８７１ｂは、周方向に連続して形成され、筒状部規制壁８７１ｂは、筒状部側面板８７１ｃから貫通穴８７４の分だけスピンドル８２側に離間して配置される。
【００３３】
取手部８７２は、筒状部８７１の下部に接続される。取手部８７２は、Ｕ字状の取手部周壁８７２ａと、取手部側面板８７２ｂと、を有する。
【００３４】
筒状部側面板８７１ｃと筒状部規制壁８７１ｂとの間には、筒状部８７１を径方向に貫通して筒状部８７１の内部と取手部８７２の内部とを連通させる貫通穴８７４が形成される。貫通穴８７４には、筒状部８７１の径方向に沿ってクリップ部材８８が挿入される。
【００３５】
クリップ部材８８は、レバーハンドル８７をガイド部材８３に着脱可能に固定する。クリップ部材８８は、基部８８１と、基部８８１から突出する一対の突起８８２と、を有する。
【００３６】
クリップ部材８８は、ガイド部材８３にレバーハンドル８７が取り付けられた状態で、取手部８７２から筒状部８７１の貫通穴８７４に向けて径方向に移動されて、貫通穴８７４に挿入されることで、ガイド部材８３に着脱可能である。クリップ部材８８は、貫通穴８７４に配置された状態で、第１ガイド部８４の一対の係合凹部８４１（後述）に挿入されて係合される。この状態においては、貫通穴８７４に配置されたクリップ部材８８の基部８８１は、筒状部規制壁８７１ｂの端面に対向する位置に配置され、筒状部規制壁８７１ｂにより軸方向への移動が規制されている。これにより、クリップ部材８８は、レバーハンドル８７の軸方向への移動を規制した状態で、レバーハンドル８７を第１ガイド部８４に固定する。
【００３７】
筒状部８７１の筒状部側面板８７１ｃの内側の面には、筒状部側面板８７１ｃの内面からスピンドル８２側に突出する突起８７３が形成される。突起８７３は、径方向に延びる突出板８７３ａを有し、突出板８７３ａは、スピンドル８２の一端部にレバーハンドル８７を取り付けた場合に、スピンドル８２のスリット８２１に挿入される。これにより、突出板８７３ａは、スピンドル８２の内部側において、スピンドル８２のスリット８２１に係合する。なお、突出板８７３ａとスピンドル８２のスリット８２１とは、突出板８７３ａとスピンドル８２のスリット８２１との間に、隙間が無い状態で係合してもよいし、隙間が有る状態で係合してもよい。
【００３８】
ガイド部材８３は、スピンドル８２が挿通される筒状に形成される。ガイド部材８３の筒状の内部には、スピンドル８２の一方側が軸方向に貫通して配置される。これにより、ガイド部材８３は、スピンドル８２の軸方向の一方側をガイドした状態で、レバーハンドル８７に取り付けられる。ガイド部材８３は、筒状の第１ガイド部８４と、筒状の第２ガイド部８５と、を有する。第１ガイド部８４及び第２ガイド部８５は、スピンドル８２の軸方向に並んで配置される。スピンドル８２の軸方向において、第１ガイド部８４は、レバーハンドル８７側に配置され、第２ガイド部８５は、レバーハンドル８７と反対側に第１ガイド部８４に並んで配置される。
【００３９】
第１ガイド部８４は、レバーハンドル８７の内部に全部が収納される。第１ガイド部８４は、レバーハンドル８７と一体で回動する。第１ガイド部８４は、外周筒８４２と、軸方向に貫通する第１中心筒８４３と、を有する。
【００４０】
第１中心筒８４３には、スピンドル８２の一端部側が貫通して配置される。第１中心筒８４３は、レバーハンドル８７側に突出する係合突出筒部８４３ａを有する。係合突出筒部８４３ａには、レバーハンドル８７側を向く端面８４３ｂが形成される。第１ガイド部８４の端面８４３ｂには、第１ガイド部８４にスピンドル８２が挿通された状態で、一対の係合爪８２２が、スリット８２１側に弾性変形することにより係脱可能に係合される。
【００４１】
第１ガイド部８４の一方側の端部の下端には、下方から上方に窪む一対の係合凹部８４１が形成される。一対の係合凹部８４１には、第１ガイド部材４５にレバーハンドル８７が取り付けられた状態において、Ｕ字状のクリップ部材８８が挿入されて係合される。
【００４２】
バネ部材８６は、図８及び図９に示すように、第１ガイド部８４と第２ガイド部８５との間に配置される。バネ部材８６は、レバーハンドル８７を、取手部８７２（後述）が垂直方向の下方側に位置する待機位置（所定の回動位置）に戻すように付勢する。バネ部材８６は、第１ガイド部８４に取り付けられる。バネ部材８６は、第１ガイド部８４の第１中心筒８４３の外周面に配置される巻き部分８６１と、巻き部分８６１から径方向に突出する第１引っ掛け部８６２及び第２引っ掛け部８６３と、を有する。
【００４３】
図１０に示すように、第１引っ掛け部８６２及び第２引っ掛け部８６３は、周方向に隙間を空けて離間して配置され、第１ガイド部８４の外周筒８４２の内面に形成される係止壁８４２ａに引っ掛けられる。第１引っ掛け部８６２及び第２引っ掛け部８６３の間の隙間は、第２ガイド部８５のガイド凸部８５４（後述）が挿入される凸部配置部８６５を構成する。第１引っ掛け部８６２及び第２引っ掛け部８６３は、凸部配置部８６５に挿入された第２ガイド部８５のガイド凸部８５４（後述）が周方向に移動した場合に、凸部配置部８６５側にガイド凸部８５４を戻す側に付勢する。
【００４４】
第２ガイド部８５は、図１０に示すように、ガイド部材８３におけるレバーハンドル８７と反対側に配置される。第２ガイド部８５は、図６に示すように、便器洗浄タンク２を覆う後カバー１０４ｂの一方側の側面に形成された取付孔１１０に嵌め込まれて、Ｕ字状の固定部材８５１により後カバー１０４ｂの内側に固定される。
【００４５】
第２ガイド部８５は、スピンドル８２の軸方向に貫通する第２中心筒８５２と、ガイド凸部８５４と、を有する。第２中心筒８５２は、第１ガイド部８４側に突出する突出筒部８５３を有する。ガイド凸部８５４は、突出筒部８５３の外周面に沿って、スピンドル８２の軸方向のレバーハンドル８７側に突出する。
【００４６】
ガイド凸部８５４は、第１ガイド部８４に配置されたバネ部材８６の第１引っ掛け部８６２及び第２引っ掛け部８６３の間の凸部配置部８６５に挿入される。図１０に示すように、第２ガイド部８５のガイド凸部８５４が凸部配置部８６５に配置されることで、第２ガイド部８５が回動操作された場合に、第２ガイド部８５は、バネ部材８６の付勢力により、凸部配置部８６５に戻るように付勢される。これにより、レバーハンドル８７を回動操作した後（例えば、取手部８７２を手前方向に９０度回動操作させた後、又は、取手部８７２を奥方向に９０度回動操作させた後）には、バネ部材８６の付勢力により、自動的に、レバーハンドル８７を、取手部８７２が垂直方向の下方側に位置する待機位置に戻すことができる。
【００４７】
以上のように構成される手動洗浄操作機構部８を組み立てる場合には、図８及び図９に示すように、スピンドル８２をガイド部材８３（第１ガイド部８４、第２ガイド部８５）の他端部側から挿入する。これにより、ガイド部材８３（第１ガイド部８４、第２ガイド部８５）に挿通されるスピンドル８２の一端部に形成される一対の係合爪８２２がスリット８２１側に弾性変形した状態で挿入されて、スピンドル８２の一端部をガイド部材８３からレバーハンドル８７側に突出させることで、図６に示すように、スリット８２１の径方向の外側に弾性復帰して、第１ガイド部８４の係合突出筒部８４３ａの端面８４３ｂに係合する。その後、第１ガイド部８４の一端部側にスピンドル８２を取り付けることで、スピンドル８２の一対の係合爪８２２が第１ガイド部８４の係合突出筒部８４３ａの端面８４３ｂに係合した状態で、スピンドル８２のスリット８２１には、レバーハンドル８７の突起８７３が挿入して配置される。
【００４８】
これにより、スピンドル８２の一対の係合爪８２２が第１ガイド部８４の係合突出筒部８４３ａの端面８４３ｂに係合した状態で、スピンドル８２のスリット８２１には、レバーハンドル８７の突起８７３が挿入して配置されるため、スピンドル８２の一対の係合爪８２２がスリット８２１側に弾性変形することが抑制される。よって、一対の係合爪８２２が第１ガイド部８４の係合突出筒部８４３ａの端面８４３ｂに係合した状態を保持して、スピンドル８２をガイド部材８３に強固に固定できる。
【００４９】
更に、第１ガイド部８４にレバーハンドル８７を取り付けた状態で、スピンドル８２の軸方向に交差する方向の下方側から、レバーハンドル８７の貫通穴８７４にクリップ部材８８を挿入する。これにより、貫通穴８７４に配置されたクリップ部材８８の基部８８１は、筒状部規制壁８７１ｂの端面に対向する位置に配置されるため、クリップ部材８８が取り付けられることで、筒状部規制壁８７１ｂにより軸方向への移動が規制されている。これにより、クリップ部材８８により、レバーハンドル８７の軸方向への移動を規制した状態で、レバーハンドル８７をガイド部材８３に強固に固定できる。また、クリップ部材８８を用いることで、レバーハンドル８７をガイド部材８３に容易に着脱できる。
【００５０】
以上説明した本実施形態に係る便器洗浄装置１によれば、例えば、以下のような効果が奏される。
本実施形態の便器洗浄装置１は、洗浄水を貯留する便器洗浄タンク２と、便器洗浄タンク２の排水口２１を開閉する排水弁７と、排水弁７を操作する手動洗浄操作機構部８と、を備え、洗浄操作機構部８は、軸方向の一端部に係合爪８２２及びスリット８２１を有するスピンドル８２と、スピンドル８２が挿通される筒状に形成されスピンドル８２が挿通された状態でスピンドル８２の係合爪８２２が係合するガイド部材８３と、スピンドル８２を回動させるレバーハンドル８７であって、ガイド部材８３を収容すると共にレバーハンドル８７の内部側において回動軸部材８２のスリット８２１に係合するレバーハンドル８７と、レバーハンドル８７をガイド部材８３に固定するクリップ部材８８と、を有する。
【００５１】
そのため、一対の係合爪８２２が第１ガイド部８４の係合突出筒部８４３ａの端面８４３ｂに係合した状態で、スピンドル８２のスリット８２１にレバーハンドル８７の突起８７３が挿入されて係合されるため、スピンドル８２をガイド部材８３に強固に固定できる。
更に、レバーハンドル８７の貫通穴８７４にクリップ部材８８を挿入することで、クリップ部材８８により、レバーハンドル８７の軸方向への移動を規制した状態で、レバーハンドル８７をガイド部材８３に強固に固定できる。
このようにして、スピンドル８２にレバーハンドル８７を固定する際の固定の強度を向上させることができる。
【００５２】
また、本実施形態においては、第１ガイド部８４は、レバーハンドル８７と一体で回動するように構成され、第２ガイド部８５は、レバーハンドル８７と一体で回動しないように構成され、第１ガイド部８４と第２ガイド部８５との間に配置され、レバーハンドル８７を所定の回動位置に戻すように付勢するバネ部材８６を備える。そのため、バネ部材８６により、レバーハンドル８７を回動操作した後に、自動で、レバーハンドル８７を所定の回動位置に戻すことができる。
【００５３】
また、本実施形態においては、クリップ部材８８は、レバーハンドル８７をガイド部材８３に着脱可能に固定する。これにより、クリップ部材８８を用いることで、レバーハンドル８７をガイド部材８３に容易に着脱することができる。
【００５４】
また、本実施形態においては、レバーハンドル８７の内部には、第１ガイド部８４の全部を収納可能である。そのため、レバーハンドル８７と第１ガイド部８４との境目が外部から視認できないため、意匠性を向上できる。
【００５５】
本発明は上記実施形態に限定されるものではなく、本発明の目的を達成できる範囲での変形、改良等は本発明に含まれる。
例えば、前記実施形態においては、レバーハンドル８７を手動で操作して洗浄を行う手動洗浄を実行する便器洗浄装置に適用したが、これに限定されず、自動で洗浄を行う自動洗浄を実行する便器洗浄装置に適用してもよい。
【００５６】
前記実施形態では、バネ部材８６を設けたが、これに限定されず、バネ部材８６を設けなくてもよい。
【００５７】
前記実施形態では、第１ガイド部８４と第２ガイド部８５とを別体で構成したが、これに限定されない。バネ部材８６を設けずに、第１ガイド部８４と第２ガイド部８５とを一体で構成してもよい。
【００５８】
前記実施形態では、レバーハンドル８７と第１ガイド部８４とを別体で構成したが、これに限定されない。レバーハンドル８７と第１ガイド部８４とを一体で構成してもよい。
【００５９】
前記実施形態では、レバーハンドル８７を第１ガイド部８４に固定する固定部をクリップ部材８８で構成したが、これに限定されない。例えば、固定部を、ネジで構成してもよい。
【符号の説明】
【００６０】
１  便器洗浄装置
２  便器洗浄タンク（タンク）
７  排水弁（開閉弁）
８  手動洗浄操作機構部（洗浄操作機構部）
２１  排水口
８２  スピンドル（回動軸部材）
８３  ガイド部材
８４  第１ガイド部
８５  第２ガイド部
８６  バネ部材
８７  レバーハンドル
８８  クリップ部材（固定部）
８２１  スリット（第２係合部）
８２２  係合爪（第１係合部）
８７３  突起
【図１】
2019190203.tif 000003
【図２】
2019190203.tif 000004
【図３】
2019190203.tif 000005
【図４】
2019190203.tif 000006
【図５】
2019190203.tif 000007
【図６】
2019190203.tif 000008
【図７】
2019190203.tif 000009
【図８】
2019190203.tif 000010
【図９】
2019190203.tif 000011
【図１０】
2019190203.tif 000012